(57)【特許請求の範囲】
【請求項１】
上枠を有した枠体に対して、一対の障子を折曲自在に連結した開閉体を、開き位置と閉じ位置とに亘って面外方向に開閉自在に取り付けた折戸であって、
前記上枠は、上レールと、面外方向閉じ側において下方に突出した戸当り部と、を有し、当該戸当り部には、面外方向開き側に向けて気密材が取り付けられており、
前記開閉体は、前記上レールに接するラッチを有したラッチ装置を備えており、
前記気密材は、取付部と、この取付部に見付け方向に離隔して見込み方向一側方に向けてそれぞれ設けた気密片、ストッパーを備え、
前記気密片は、取付部に設けた見込み方向一側方に向かう基片と、この基片の見込み方
向一側部に設けた見込み方向一側方に向かい、かつ見付け方向のストッパーに向かう方向
に向けて斜めとなった先片でほぼくの字形状に屈曲し、その先片が基片に対して見込み方
向他側に向けて弾性変形するようにし、
前記基片と先片の屈曲部はストッパーの見込み方向一側面よりも見込み方向一側方に位
置し、
前記ラッチが前記上レールの面外方向閉じ側に接して開閉体が閉じ位置で保持された状態において、先片の見込み方向他側面はストッパーの見込み方向一側面と間隔を置いて対向するようにしたことを特徴とする折戸。
【請求項２】
上枠を有した枠体に対して、一対の障子を折曲自在に連結した開閉体を、開き位置と閉じ位置とに亘って面外方向に開閉自在に取り付けた折戸であって、
前記上枠は、上レールと、面外方向閉じ側において下方に突出した戸当り部と、を有し、当該戸当り部には、面外方向開き側に向けて気密材が取り付けられており、
前記開閉体は、前記上レールに接するラッチを有したラッチ装置を備えており、
前記気密材は、取付部と、この取付部に見付け方向に離隔して見込み方向一側方に向けてそれぞれ設けた気密片、補助気密片、およびストッパーを備え、
前記気密片は前記取付部の見付け方向一端側に設けられ、前記ストッパーは前記取付部の見付け方向中間部に設けられ、前記補助気密片は前記取付部の見付け方向他端側に設けられ、
前記気密片は、見込み方向他端部から見込み方向一側部に亘って見付け方向他端側に向かって順次湾曲した形状で、
前記気密片の見込み方向一側部はストッパーの見込み方向一側面および補助気密片の見込み方向一側部よりも見込み方向一側方に位置し、その気密片の見込み方向他側面はストッパーの見込み方向一側面と間隔を置いて対向し、
前記補助気密片の見込み方向一側部はストッパーの見込み方向一側面よりも見込み方向一側方に位置し、
前記ラッチが前記上レールの面外方向閉じ側に接して開閉体が閉じ位置で保持された状態において、前記気密片が見込み方向他側に向けて弾性変形し、気密片の見込み方向一側部が補助気密片の見込み方向一側部に接し、気密片の見込み方向他側面はストッパーの見込み方向一側面と間隔を置いて対向するようにしたことを特徴とする折戸。
【請求項３】
前記気密材は、取付部の見付け方向一端側に気密片、中間部にストッパーをそれぞれ設け、その取付部の見付け方向他端側に補助気密片を見込み方向一側方に向けて設け、
この補助気密片の見付け方向一側部は、前記ストッパーの見込み方向一側面よりも見込み方向一側方に位置し、
前記ラッチが前記上レールの面外方向閉じ側に接して開閉体が閉じ位置で保持された状態において、前記気密片が見込み方向他側に向けて弾性変形し、その見込み方向一側部が補助気密片の見込み方向一側部に接するようにした請求項１記載の折戸。
【請求項４】
前記気密片と補助気密片は取付部よりも軟らかい材質で、
前記ストッパーは気密片と補助気密片よりも硬い材質とした請求項２又は３記載の折戸。
【請求項５】
前記気密片の見込み方向他側部と前記取付部との境界部は、前記ストッパーの見込み方向一側面よりも見込み方向他側方に位置するようにした請求項４記載の折戸。
【発明の詳細な説明】
【技術分野】
【０００１】
本発明は、建具に戸当りとして用いられ、枠体と開閉体との間を気密する気密材及び、その気密材で枠体と開閉体との間を気密するようにした建具に関する。
【背景技術】
【０００２】
建具に戸当りとして用いられる気密材としては、例えば、特許文献１に開示されたものが知られている。
この気密材は、建具の枠体としてのドア用開口枠に取り付けるための取付部に、略Ｌ字型に屈曲した基体と弾性連結片を設けたもので、建具の開閉体としてのドア本体を開き位置から閉じ位置に向けて移動し、そのドア本体が閉じられると、ドア本体が基体の屈曲部に接触して基体を弾性変形することで、ドア用開口部とドア本体との間を気密し、ドア本体を更に閉じ位置に向けて移動して閉じ位置としてドア本体が閉まると、基体が更に弾性変形して基体の屈曲部が弾性連結片に接し、その屈曲部を弾性連結片で支持して屈曲部がへたるのを防止するようになっている。
【先行技術文献】
【特許文献】
【０００３】
【特許文献１】特開平９−１７７４２７号公報
【発明の概要】
【発明が解決しようとする課題】
【０００４】
枠体に開閉体を開閉自在に取り付けた建具においては、加工誤差や組立誤差などにより開閉体の閉じ位置が、その開閉体の開閉方向にずれることがある。このような建具に戸当りとして用いる気密材は、その弾性変形代を大きくし、開閉体の閉じ位置が開き寄りにずれた場合でも開閉体が気密材に接して枠体と開閉体との間を気密できるようにする必要がある。
前述した従来の気密材の場合には、基体と弾性連結片を長くし、開閉体の閉じ位置が取付部から遠く離れた場合でも基体の屈曲部に開閉体が接し、かつ屈曲部が弾性連結片に接するようにする。
【０００５】
しかし、前述のように基体と弾性連結片が長いと、開閉体の閉じ位置が取付部に接近した場合に、その基体、弾性連結片の弾性圧縮変形代が大きくなり、開閉体を閉じ位置まで閉じ移動する操作力が大きくなってしまう。
このことを解消するには、基体と弾性連結片を弾性変形し易い材質とし、小さな力で弾性圧縮変形するようにすれば良いが、このようにすると、開閉体が小さな力で閉じ位置よりも更に閉じ方向に移動してしまうので、気密材の戸当りとしての機能が劣ってしまう。
【０００６】
本発明の目的は、弾性変形代が大きく、小さな力で弾性変形すると共に、戸当りとしての十分な機能を有する気密材及びその気密材を用いた建具とすることである。
【課題を解決するための手段】
【０００７】
本発明は、上枠を有した枠体に対して、一対の障子を折曲自在に連結した開閉体を、開き位置と閉じ位置とに亘って面外方向に開閉自在に取り付けた折戸であって、
前記上枠は、上レールと、面外方向閉じ側において下方に突出した戸当り部と、を有し、当該戸当り部には、面外方向開き側に向けて気密材が取り付けられており、
前記開閉体は、前記上レールに接するラッチを有したラッチ装置を備えており、
前記気密材は、取付部と、この取付部に見付け方向に離隔して見込み方向一側方に向けてそれぞれ設けた気密片、ストッパーを備え、
前記気密片は、取付部に設けた見込み方向一側方に向かう基片と、この基片の見込み方
向一側部に設けた見込み方向一側方に向かい、かつ見付け方向のストッパーに向かう方向
に向けて斜めとなった先片でほぼくの字形状に屈曲し、その先片が基片に対して見込み方
向他側に向けて弾性変形するようにし、
前記基片と先片の屈曲部はストッパーの見込み方向一側面よりも見込み方向一側方に位
置し、
前記ラッチが前記上レールの面外方向閉じ側に接して開閉体が閉じ位置で保持された状態において、先片の見込み方向他側面はストッパーの見込み方向一側面と間隔を置いて対向するようにしたことを特徴とする折戸である。
【０００８】
本発明は、上枠を有した枠体に対して、一対の障子を折曲自在に連結した開閉体を、開き位置と閉じ位置とに亘って面外方向に開閉自在に取り付けた折戸であって、
前記上枠は、上レールと、面外方向閉じ側において下方に突出した戸当り部と、を有し、当該戸当り部には、面外方向開き側に向けて気密材が取り付けられており、
前記開閉体は、前記上レールに接するラッチを有したラッチ装置を備えており、
前記気密材は、取付部と、この取付部に見付け方向に離隔して見込み方向一側方に向けてそれぞれ設けた気密片、補助気密片、およびストッパーを備え、
前記気密片は前記取付部の見付け方向一端側に設けられ、前記ストッパーは前記取付部の見付け方向中間部に設けられ、前記補助気密片は前記取付部の見付け方向他端側に設けられ、
前記気密片は、見込み方向他端部から見込み方向一側部に亘って見付け方向他端側に向かって順次湾曲した形状で、
前記気密片の見込み方向一側部はストッパーの見込み方向一側面および補助気密片の見込み方向一側部よりも見込み方向一側方に位置し、その気密片の見込み方向他側面はストッパーの見込み方向一側面と間隔を置いて対向し、
前記補助気密片の見込み方向一側部はストッパーの見込み方向一側面よりも見込み方向一側方に位置し、
前記ラッチが前記上レールの面外方向閉じ側に接して開閉体が閉じ位置で保持された状態において、前記気密片が見込み方向他側に向けて弾性変形し、気密片の見込み方向一側部が補助気密片の見込み方向一側部に接し、気密片の見込み方向他側面はストッパーの見込み方向一側面と間隔を置いて対向するようにすることもできる。
【０００９】
本発明の折戸においては、前記気密材は、取付部の見付け方向一端側に気密片、中間部にストッパーをそれぞれ設け、その取付部の見付け方向他端側に補助気密片を見込み方向一側方に向けて設け、
この補助気密片の見付け方向一側部は、前記ストッパーの見込み方向一側面よりも見込み方向一側方に位置し、
前記ラッチが前記上レールの面外方向閉じ側に接して開閉体が閉じ位置で保持された状態において、前記気密片が見込み方向他側に向けて弾性変形し、その見込み方向一側部が補助気密片の見込み方向一側部に接するようにすることができる。
このようにすれば、気密片が気密姿勢に弾性変形することで、気密片と補助気密片が連続するので、その気密片に雨水等が溜まることがない。
【００１０】
本発明の折戸においては、前記気密片と補助気密片は取付部よりも軟らかい材質で、前記ストッパーは気密片と補助気密片よりも硬い材質とすることができる。
このようにすれば、気密片、補助気密片をより小さな力で弾性変形するようにできると共に、ストッパーによって気密片の弾性変形をしっかりと規制して戸当りとしての機能を十分なものにできる。
【００１１】
本発明の折戸においては、前記気密片の見込み方向他側部と前記取付部との境界部は前記ストッパーの見込み方向一側面よりも見込み方向他側方に位置するものにできる。
このようにすれば、ストッパーが戸当りとして機能した際、取付部における気密片の見込み方向他側部と隣接す部分に対する負荷を軽減してこの部分の変形を抑制できるため、当該部分に設けられた気密片の機能低下を防止することができる。
【発明の効果】
【００１３】
本発明の折戸によれば、気密材が非気密姿勢のときの気密片を見込み方向に長くして弾性変形代を大きくできると共に、小さな力で弾性変形するようにできる。
しかも、気密材の気密片が気密姿勢よりも更に弾性変形すると、その気密片がストッパーの見込み方向一側面に接してそれ以上の弾性変形を規制するので、戸当りとしての十分な機能を有し、開閉体を閉じ位置で小さな操作力で閉じ側に移動しないように保持することができる。
【００１４】
本発明の建具によれば、枠体と開閉体との間を気密材で気密できると共に、開閉体を閉じ位置で小さな操作力で閉じ側に移動しないように保持することができる。
【図面の簡単な説明】
【００１５】
【図１】建具の概略正面図である。
【図２】建具の詳細縦断面図である。
【図３】気密材の拡大断面図である。
【図４】開閉体が開いている状態の建具の上部断面図である。
【図５】開閉体を閉じた状態の建具の上部断面図である。
【図６】開閉体が閉じ位置の状態の建具の上部断面図である。
【図７】開閉体が閉じ位置よりも更に閉じ方向に移動した状態の建具の上部断面図である。
【図８】気密材の第２の実施の形態を示す断面図である。
【発明を実施するための形態】
【００１６】
図１に示すように、枠体１に開閉体２を開閉自在に取り付けて建具としてある。
図１に示す建具は浴室用の折れ戸で、枠体１は上枠１０と下枠１１と左右一方の縦枠１２と左右他方の縦枠１３を方形状に連結してある。
開閉体２は、左右一方の障子２ａと左右他方の障子２ｂを有し、左右一方の障子２ａの戸先側の縦框２０と左右他方の戸先側の縦框２１を折曲自在に連結してある。
左右一方の障子２ａの戸尻側の縦框２２を、上枠１０、下枠１１に面外方向に回動自在に支持し、左右他方の障子２ｂの戸尻側の縦框２３を上枠１０、下枠１１に沿って面内方向に摺動自在に支承している。
【００１７】
そして、把手３を持って左右他方の障子２ｂを面外方向における枠体１から離れる方向（浴室側）に引くことで、左右一方の障子２ａと左右他方の障子２ｂが連結部において浴室側に突出するように折れ曲がり、左右一方の障子２ａが戸尻側の縦框２２を中心として浴室側に回動し、左右他方の障子２ｂの戸尻側の縦框２２が上枠１０、下枠１１に沿って面内方向の左右一方側に摺動することで、両方の障子２ａ，２ｂは重なり合って面外方向一側方である浴室側に張り出した開き位置に移動する。
前述の状態から把手３を持って左右他方の障子２ｂを面内方向の左右他方側に引張りながら脱衣室側に向けて押すことで、両方の障子２ａ，２ｂは図１に示す閉じ位置に移動する。
【００１８】
前記左右一方の障子２ａの戸先側の縦框２０と上枠１０とに亘ってラッチ装置４が取り付けてある。
このラッチ装置４は、両方の障子２ａ，２ｂが閉じ位置のときに、把手３を所定の操作力で引いても両方の障子２ａ，２ｂが開き側に移動しないように保持し、把手３を所定の操作力よりも大きな操作力で引くことで両方の障子２ａ，２ｂが開き側に移動するようにしてある。
【００１９】
図２に示すように、上枠１０の面内方向の内側面１４は、その上枠１０の面外方向に向かい、その内側面１４の面外方向の中間に上レール１５を長手方向に連続して有し、その上枠１０の面外方向閉じ側（図２の右側）である脱衣室側には内側面１４よりも下方に突出した戸当り部１６を有し、この戸当り部１６に本発明の気密材５が面外方向開き側（図２の左側）である浴室側に向けて開閉体２である障子２ａ，２ｂと対向して取り付けてある。
【００２０】
気密材５は前述のように上枠１０の戸当り部１６に、面外方向開き側に向けて突出して取り付けてあり、図３の左右方向が面外方向、上下方向が面内方向であるので、気密材５を戸当り部１６に取り付けたときに面外方向（開閉方向）に向かう方向を見込み方向、面内方向（開閉方向と直角な方向）に向かう方向を見付け方向として図３に基づき気密材５を説明する。
気密材５は、取付部５０と、この取付部５０の見込み方向一側寄りで見付け方向一端側に設けた気密片６０と、前記取付部５０の見込み方向一側における見付け方向中間部に設けたストッパー７０と、前記取付部５０の見込み方向一側寄りで見付け方向他端側に設けた補助気密片８０を備えている。
【００２１】
気密片６０は、取付部５０の見込み方向一側寄りで、見付け方向一端部に設けた見付け方向一側方（開き側）に向かう基片６１と、この基片６１の見込み方向一端部（見付け方向一端側）に設けた見込み方向一側方に向かい、かつ見付け方向他端部に向けて斜めとなった先片６２を有し、先片６２が障子に接しない非気密姿勢のときには、基片６１と先片６２でほぼくの字形状に屈曲している。この先片６２に障子２ａ，２ｂが接することで、先片６２が基片６１に対して見込み方向他側方に向けて弾性変形し、基片６１と先片６２がほぼ鉤形状の気密姿勢となるようにしてある。
基片６１の見込み方向一側部（基片６１と先片６２の屈曲部）は、ストッパー７０の見込み方向一側面７１よりも見込み方向一側方に位置している。
先片６２の見込み方向一側部６２ａはストッパー７０よりも見付け方向他端寄りに位置し、この先片６２の見込み方向他側面６２ｂはストッパー７０の見込み方向一側面７１と間隔を置いて対向している。
【００２２】
ストッパー７０は、所定の見込み寸法と見付け寸法を有した矩形状で、気密片６０の先片６２が前述の気密姿勢よりも更に見込み方向他側に向けて弾性変形したときに、その先片６２の見込み方向他側面６２ｂがストッパー７０の見込み方向一側面７１に接するようにしてある。これによって、その気密片６０の先片６２が、それ以上見込み方向他側に向けて弾性変形することを規制する。
補助気密片８０の見込み方向一側部８０ａは、ストッパー７０の見込み方向一側面７１よりも見込み方向一側方に位置し、基片６１と先片６２の屈曲部と見込み方向にほぼ同一位置で、先片６２の見込み方向一側部６２ａは補助気密片８０の見込み方向一側部８０ａよりも見込み方向一側方に位置している。
【００２３】
そして、先片６２が基片６１に対して見込み方向他側に向けて弾性変形し、先片６２が見付け方向に向かう前述した気密姿勢となると、その先片６２の見込み方向一側部６２ａが補助気密片８０の見込み方向一側部８０ａに接する。このとき、先片６２の見込み方向他側面６２ｂはストッパー７０の見込み方向一側面７１と離隔している。
【００２４】
図４に示すように、障子２ａ，２ｂが開放した状態では、気密材５は障子２ａ，２ｂの見込み方向他側面２ｃと離隔し、気密材５（気密片６０）は非気密姿勢で、その気密片６０は基片６１と先片６２がほぼくの字形状に屈曲している。そして、上枠１０の戸当り部１６（気密材５を取り付ける部分）から気密材６０の先片６２の見込み方向一側部６２ａまでの距離Ｌ１が長くなっている。つまり、気密片６０が見込み方向に長い。
このとき、ラッチ装置４のラッチ４０は解錠姿勢で、第１突起４１が上レール１５よりも下方に位置し、第２突起４２は上レール１５よりも見込み方向一側寄りである。
【００２５】
前述の開放状態から障子２ａ，２ｂを矢印ｃで示すように、閉じ移動（閉じ位置に向けて移動すること）することで、図５に示すように、障子２ａ，２ｂの見込み方向他側面２ｃが気密材５の気密片６０の先片６２の見込み方向一側部６２ａに接する。
このとき、ラッチ４０は第２突起４２が上レール１５と干渉して施錠姿勢に向けて回動する。
【００２６】
障子２ａ，２ｂを更に閉じ移動して図６に示す閉じ位置とすると共に、気密材５の気密片６０の先片６２が基片６１に対して弾性変形し、その先片６２の見込み方向一側に向かう面６２ｃのほぼ全面が障子２ａ，２ｂの見込み方向他側面２ｃに接すると共に、気密片６０は前述の気密姿勢となり、上枠１０と障子２ａ，２ｂとの間を気密することができる。
【００２７】
このようであるから、気密材５の気密片６０の弾性変形代を大きくできる。
しかも、気密片６０の先片６２は小さな力で弾性変形するので、障子２ａ，２ｂ（開閉体２）を閉じ位置まで閉じ移動する操作力を小さくできる。
【００２８】
また、前述した気密材５は補助気密片８０を備え、気密片６０が気密姿勢のときに、その先片６２の見込み方向一側部６２ａが補助気密片８０の見込み方向一側部８０ａに接するので、気密片６０（基片６１）の見付け方向他端側面６０ａ上に雨水等が浸入して溜まることがない。
つまり、気密片６０は、気密姿勢のときにほぼ鉤形状であるので、図５に示すように補助気密片８０と離れていると、その気密片６０の見付け方向他端側面６０ａ上に雨水等が溜まることがある。
【００２９】
図６のように障子２ａ，２ｂが閉じ位置のときには、ラッチ４０の第１突起４１が上レール１５に接し、障子２ａ，２ｂを閉じ位置で保持して、小さな操作力では障子２ａ，２ｂを開放できないようにする。
【００３０】
図６のように障子２ａ，２ｂが閉じ位置の状態から、その障子２ａ，２ｂが矢印ｃで示すように更に閉じ方向に移動すると、図７に示すように気密材５の気密片６０と補助気密片８０が弾性変形し、気密片６０の先片６２の見込み方向他側面６２ｂがストッパー７０の見込み方向一側面７１に接し、気密片６０、補助気密片８０がそれ以上弾性変形することを規制する。
【００３１】
このようであるから、前述のように気密片６０の弾性変形代が大きく、小さな力で弾性変形するようにしても、閉じ位置の障子２ａ，２ｂが小さな操作力で閉じ方向に移動する距離が短く、この気密材は戸当りとしての十分な機能を有する。
【００３２】
図７に示すように、気密片６０の先片６２の見込み方向他側面６２ｂがストッパー７０の見込み方向一側面７１に当接したときに、ラッチ４０は、その第２突起４２が上レール１５を超えて見込み方向他側方（閉じ側）に移動しないようにしてある。
これにより、障子２ａ，２ｂが閉じ位置よりも更に閉じ方向に移動し、ラッチ４０の第２突起４２が上レール１５を越えて上レール１５よりも見込み方向他側方となることがなく、障子２ａ，２ｂを開放するための操作力が大きくなることがなく、閉じ状態の障子２ａ，２ｂを小さな操作力で開放することができる。
【００３３】
気密材５の取付部５０は、戸当り部１６の取付用溝１７内に取り付けられる溝取付片５１と、この溝取付片５１の見込み方向一側部に一体に設けた連結片５２と、この連結片５２の見込み方向一側部に一体に設けた取付片５３で断面略Ｈ字形状である。
この取付用溝１７は、開口幅（見付け方向の寸法）が大きな奥側開口部１７ａと、開口幅が小さな開口側開口部１７ｂを有する、いわゆるあり溝形状である。
気密材５は、溝取付片５１が奥側開口部１７ａ内に挿入され、連結片５２が開口側開口部１７ｂに挿入され、取付片５３が戸当り部１６の取付用溝１７の開口側面１６ａと対向するように取り付けられる。
取付片５３の見込み方向他側面の見付け方向一端部と基片６１には突部５４が設けてあり、この突部５４が前記戸当り部１６の開口側面１６ａに接するようにしてある。
【００３４】
取付片５３の見付け方向一端面５３ａ（取付部５０の見付け方向一端側）に気密片６０の基片６１が一体に設けてある。
この取付片５３と基片６１の境界部ａは、ストッパー７０の見込み方向一側面７１よりも見込み方向他側寄りである。
これにより、気密片６０の先片６２がストッパー７０に当接し、そのストッパー７０が戸当りとして機能した際、取付部５０における気密片６０の見込み方向他側部と隣接する部分（取付部５０における気密片６０を設けた部分）に対する負荷を軽減して、この部分の変形を抑制できるため、当該部分に設けられた気密片６０の機能低下を防止することができる。
取付片５３の見込み方向一側面５３ｂの見込み方向他端部（取付部５０の見付け方向他端側）に補助気密片８０が一体に設けてある。
この取付片５３と補助気密片８０の境界部ｂは、ストッパー７０の見込み方向一側面７１よりも見込み方向他側寄りである。
これにより、前述の気密片６０と同様に補助気密片８０の機能低下を防止することができる。
【００３５】
気密片６０の先片６２の厚さ（先片６２の突出方向に対して直交する方向の寸法）は基片６１の厚さ（基片６１の突出方向に対して直交する方向の寸法）よりも小さく、かつ基片６１と先片６２の屈曲部の見付け方向他端面には凹部、好ましくはほぼ半円形の凹部６３が形成してある。
これにより、気密片６０は、その先片６２が基片６１に対して見込み方向他側に向けて弾性変形し易い。
【００３６】
気密片６０の先片６２の見込み方向一側部６２ａは、見込み方向他側に向けて円弧状に湾曲し、かつ端部は半円形状となっている。
補助気密材８０の見込み方向一側部８０ａは、見付け方向一端に向けて円弧状に湾曲している。
このようであるから、先片６２が見込み方向他側に向けて弾性変形したときに、その見込み方向一側部６２ａが補助気密片８０の見込み方向一側部８０ａの見付け方向他端面に接し、更に先片６２が弾性変形することで、その先片６２によって補助気密片８０を見付け方向一端に向けてスムーズに弾性変形することができる。
【００３７】
ストッパー７０は、取付片５３の見込み方向一側面５３ｂにおける見付け方向中間部に一体に設けてある。
このストッパー７０は、見込み方向一側面７１と、見付け方向一端面７２と、見付け方向他端面７３で矩形状となり、このストッパー７０は前記連結片５２の見付け幅内に設けてある。
【００３８】
気密片６０と補助気密片８０は取付部５０よりも軟らかい材質である。
ストッパー７０は気密片６０と補助気密片８０よりも硬い材質である。
取付部５０とストッパー７０は同じ硬さの材質でも良いし、異なる硬さの材質でも良い。
例えば、取付部５０とストッパー７０を半硬質樹脂とし、気密片６０と補助気密片８０を軟質樹脂とし、２色成形といわれる手法で成形する。
【００３９】
取付部５０の取付片５３と気密片６０の基片６１の境界部ａは、図３で仮想線で示す位置でも良いし、取付部５０の取付片５３と補助気密片８０の境界部ｂは、図３で仮想線で示す位置でも良い。
つまり、前述の境界部ａ，ｂはストッパー７０の見付け方向一側面７１よりも見込み方向他側寄りであれば良い。
【００４０】
本発明の気密材５は前述のものに限ることはなく、気密片５０を、図３に示すように基片６１と先片６２でほぼくの字形状に屈曲した形状ではなく、図８に示すように、気密片６０を、見込み方向他側部６０ｂ（取付部５０に取り付けた部分）から見込み方向一側部６０ｃに亘って、見付け方向他端に向かって順次湾曲した形状で、見込み方向一側部寄りが見付け方向に向かうようにしても良い。
【００４１】
図８に示す気密材５の場合には、気密片６０の見込み方向一側部６０ｃ寄り部分が障子２ａ，２ｂに接し、その障子２ａ，２ｂが閉じ移動することで気密材５の見込み方向全長が順次見込み方向他側に向けて弾性変形する。
そして、気密材５（気密片６０）が気密姿勢のときに、気密片６０の見込み方向一側部６０ｃが補助気密片８０の見込み方向一側部８０ａに接するようになる。
また、前述の気密姿勢よりも更に気密片６０が見込み方向他側に弾性変形したときに、気密片６０の見込み方向一側寄りの見込み方向他側面６０ｄがストッパー７０の見込み方向一側面７１に接し、それ以上の弾性変形を規制する。
【００４２】
また、本発明の気密材５は、図示しないが補助気密片８０を有しないものでも良い。
この場合には、気密片６０とストッパー７０を取付部５０（取付片５３）の見込み方向一側寄りに見付け方向に離隔して設け、気密片６０はストッパー７０に向けて屈曲、湾曲した形状とする。
【符号の説明】
【００４４】
１…枠体、２…開閉体、５…気密材、５０…取付部、６０…気密片、６１…基片、６２…先片、６２ａ…見込み方向一側部、７０…ストッパー、７１…見込み方向一側面、８０…補助気密片、８０ａ…見込み方向一側部。
【図１】
0005464598.tif 000002
【図２】
0005464598.tif 000003
【図３】
0005464598.tif 000004
【図４】
0005464598.tif 000005
【図５】
0005464598.tif 000006
【図６】
0005464598.tif 000007
【図７】
0005464598.tif 000008
【図８】
0005464598.tif 000009